(57)【要約】 【課題】装飾的効果と防水効果とを有する点灯装置を提供すること。【解決手段】本考案は、ハウジング１１と、制御回路１３と、半導体発光ユニット１５とを含む点灯装置を提供する。ハウジング１１は受入空間を含み、ハウジング１１の材料はワックスである。制御回路１３は受入空間内に封入され、制御信号を提供する。半導体発光ユニット１５は受入空間内に封入され、制御信号を受信し光を供給する。【選択図】  図１
0003176441.tif 000002
【実用新案登録請求の範囲】
【請求項１】
受入空間を有し、その材料がワックスであることを特徴とするハウジングと、当該受入空間内に封入され制御信号を提供する制御回路と、当該受入空間内に封入され当該制御信号を受信し光を供給する半導体発光ユニットとを含む、点灯装置。
【請求項２】
前記ハウジングは主発光面をさらに有し、前記受入空間と当該主発光面との間の最短距離は７．６２センチメートル（３インチ）未満である、請求項１に記載の点灯装置。
【請求項３】
前記制御回路及び前記半導体発光ユニットに電力を供給する電力貯蔵ユニットをさらに含む、請求項１に記載の点灯装置。
【請求項４】
前記電力貯蔵ユニットは前記受入空間に封入されている、請求項３に記載の点灯装置。
【請求項５】
前記電力貯蔵ユニットは前記ハウジング外部に設けられ、前記ハウジングは接続部をさらに有し、当該接続部は前記ハウジングの外面上に設けられ、前記制御回路及び前記半導体発光ユニットに電気的に接続し、また、当該接続部は電力貯蔵ユニットに電気的に接続している、ことを特徴とする請求項３に記載の点灯装置。
【請求項６】
前記制御回路はマイクロコントローラを有する、ことを特徴とする請求項１に記載の点灯装置。
【請求項７】
前記半導体発光ユニットは、少なくとも発光ダイオード（ＬＥＤ）ダイ、レーザ発光体又は有機発光ダイオード（ＯＬＥＤ）ダイを有する、ことを特徴とする請求項１に記載の点灯装置。
【考案の詳細な説明】
【技術分野】
【０００１】
本考案は、点灯装置に関し、特に、半導体光源がワックスで覆われた点灯装置に関する。
【背景技術】
【０００２】
点灯装置の応用先を拡大し、顧客を惹きつけるために、多くの点灯装置製造者は、通常の点灯装置に加え、変化に富んだ装飾用の様々な点灯装置の研究開発に多大な努力をしている。現在、様々な種類の装飾用の点灯装置が市場にあふれており、消費者の要求に応えるために、点灯装置の外観と形状は常に変化し続けている。従来の点灯装置の中でも、装飾用の点灯装置の多くは、電球又はライトボックス（Light Box）形状の外観を有している。従って、装飾用の点灯装置は、その形が電球又はライトボックス（Light Box）の寸法と外形に限られており、装飾に特化した場所のみで使用できるか、あるいは、所望する視覚効果を達成するために広い場所での陳列のために発光できるのみとなっている。
【０００３】
多湿な気候や、頻繁に降雨に見舞われる国又は地域では、屋外で用いられる点灯装置は、降雨又は湿気にさらされることも多く、さらに、一般的な装飾用の点灯装置は、屋外環境の特定の場所に固定して設置されることも多いため、これらの装置は日射にさらされることも多い。これらの環境要因により、点灯装置は、損傷や短絡の影響を受けやすくなるため、装置の共用寿命が短くなったり、装置の視覚的な外観に影響が現れやすくなる。
【０００４】
従って、長期間の共用寿命を有し、望ましい装飾的効果及び防水効果をもたらす点灯装置を提供することが、従来から強く望まれていた。
【考案の概要】
【考案が解決しようとする課題】
【０００５】
本考案の目的は、人を惹きつける効果をもたらすことができる点灯装置を提供することにある。このような点灯装置において、点灯装置の半導体光源から放出される光は、半導体光源の周りを覆うワックスを透過して、ソフトな色合いを生み出す。さらに、ワックスは着色が可能で可塑性を有するため、点灯装置は、様々な外観を有するように作ることができる。これにより、人を惹きつける美的な外観を有するような点灯装置が得られる。
【０００６】
本考案の他の目的は、防水効果を有する点灯装置を提供することにある。ワックスを用いて点灯装置の半導体光源を覆うことにより、屋外環境での損傷から点灯装置を護ることができる。
【課題を解決するための手段】
【０００７】
上記目的を達成するために、本考案は、ハウジングと、制御回路と、半導体発光ユニットとを含む点灯装置を提供する。ハウジングは、受入空間を含み、ハウジングの材料はワックスである。制御回路は、受入空間内に封入され、制御信号を提供する。半導体発光ユニットは、受入空間内に封入され、制御信号を受信し光を供給する。
【０００８】
本技術分野の当業者が、実用新案登録請求の範囲に記載した考案の特徴を十分に理解できるように、考案の課題のための詳細な技術及び好適な実施様態を、付属の図面とともに以下の段落で説明する。
【図面の簡単な説明】
【０００９】
【図１】本考案の第１の実施例における点灯装置の上面斜視図である。
【図２】本考案の第１の実施例における点灯装置の側面断面図である。
【図３】本考案の第２の実施例における点灯装置の上面斜視図である。
【図４】本考案の第２の実施例における点灯装置の側面断面図である。
【図５】本考案の第３の実施例における点灯装置の概略部分図である。
【図６】本考案の第４の実施例における点灯装置の側面断面図である。
【考案を実施するための形態】
【実施例１】
【００１０】
図１及び図２は、各々、本考案の第１の実施例による点灯装置１の上面斜視図及び側面断面図である。図示のように、点灯装置１は、ハウジング１１、制御回路１３、半導体発光ユニット１５、電力貯蔵ユニット１７及び基板１９を含んでいる。
【００１１】
ハウジング１１は、その中に設けられた受入空間１０と、その外部の主点灯面１１１とを有している。受入空間１０と主点灯面１１１の間の短い距離は、主点灯面１１１でのハウジングの厚みである７．６２センチメートル（３インチ）未満である。さらに、本考案のハウジングは、ハウジングの形状及び色についての設計と調整を容易にするため、ワックス材料から作られている。
【００１２】
基板１９は回路基板であり、受入空間１０内に封入されている。本実施例において、制御回路１３、半導体発光ユニット１５及び電力貯蔵ユニット１７は、電気的に基板１９に接続し、その上に設けられている。すなわち、制御回路１３、半導体発光ユニット１５及び電力貯蔵ユニット１７もまた、各々が、受入空間１０に封入されている。
【００１３】
制御回路１３は、マイクロコントローラ（不図示）を含んでいる。ユーザは、半導体発光ユニット１５に制御信号を与えるための実際の要求に応じて、制御回路１３とマイクロコントローラにプログラムを組み込むことができる。半導体発光ユニット１５は、制御信号に応じて光を与えるために、制御信号を受信する。すなわち、ユーザは、点滅周波数と、半導体発光ユニット１５から放出される光の点灯状態と消灯状態との間の遷移とを思い通りに制御することができる。本考案の半導体発光ユニットは、発光ダイオード（ＬＥＤ）ダイ、レーザ発光体又は有機発光ダイオード（ＯＬＥＤ）ダイを含むものであってよいが、これらの要素の種類、配置及び数は、上述したものに限定されるものでは全くない。
【００１４】
電力貯蔵ユニット１７は、制御回路１３及び半導体発光ユニット１５に電力を供給する。本実施例において、電力貯蔵ユニット１７は従来型の小型バッテリであるため、点灯装置１は、購入電力への接続を必要とせずに用いることができる。このため、ユーザは、点灯装置１を持ち運ぶことが可能となり、独立した電源を必要とせずに点灯装置１の可搬性を高めることができる。
【実施例２】
【００１５】
図３及び図４は、各々、本考案の第２の実施例による点灯装置３の上面斜視図及び側面断面図である。本実施例による点灯装置３は、ハウジング３１、制御回路３３、半導体発光ユニット３５、電力貯蔵ユニット３７及び基板３９を含んでいる。本実施例は、主に、電力貯蔵ユニット３７の配置について前記の実施例と異なっている。
【００１６】
図示のように、ハウジング３１の受入空間３０のみが、制御回路３３、半導体発光ユニット３５及び基板３９をその中に有しているが、電力貯蔵ユニット３７はハウジング３１の外部に設けられている。ハウジング３１は接続部３１３を有しており、この接続部は、ハウジング３１の外面３１５上に設けられ、電気的に制御回路３３及び半導体発光ユニット３５に接続している。また、接続部３１３は、電気的に電力貯蔵ユニット３７に接続している。本実施例において、電力貯蔵ユニット３７はバッテリであるが、他の実施例においては、電力貯蔵ユニットは、制御回路３３及び半導体発光ユニット３５に電力を供給するための電気コンセントであってもよい。
【実施例３】
【００１７】
図５は、本考案の第３の実施例による点灯装置の概略部分図であり、記述の都合上、点灯装置のハウジングと電力貯蔵ユニットは不図示である。本実施例は、主に、ハウジング（不図示）内の複数の半導体発光ユニット５５の配置について前述の実施例と異なっている。図示のように、本実施例による半導体発光ユニット５５は、各々、２つの異なる色を提供する第１の半導体発光ユニット５５ａ及び第２の半導体発光ユニット５５ｂを含んでいる。
【００１８】
すなわち、本考案の半導体発光ユニットは、ＬＥＤダイ、複数の異なる色のレーザ発光体又はＯＬＥＤダイであってもよく、また、ユーザの要求に応じて、受入空間内に配置してもよい。マイクロコントローラにプログラムを更に組み込むことにより、異なる色の半導体発光ユニットが間欠的に発光すること、あるいは特定の色を与える半導体発光ユニットのみが発光することなどに対応できる。さらに、点灯装置は、複数の発光モード間を遷移し、点灯装置全体がより多彩な視覚効果をもたらすことができる。
【実施例４】
【００１９】
図６は、本考案の第４の実施例による点灯装置の側面断面図である。図示のように、本実施例による点灯装置６もまた、ハウジング６１、制御回路６３、複数の半導体発光ユニット６５、電力貯蔵ユニット６７及び基板６９を含んでいる。基板６９上の制御回路６３、複数の半導体発光ユニット６５及び電力貯蔵ユニット６７もまた、ハウジング６１の受入空間６０内に封入されている。
【００２０】
本実施例において、ハウジング６１の主点灯面は、さらに上部点灯面６１１ａと下部点灯面６１１ｂとに分割されている。さらに、複数の半導体発光ユニット６５は、基板６９の上面６９ａ及び下面６９ｂに設けられている。他の実施例においては、ハウジングの異なる複数の点灯面を、異なる厚さを有するように設計し、異なる複数のハウジングの面を通る光が異なる輝度を有するものであってよい。さらに、本実地例による複数の半導体発光ユニットは、点灯装置から与えられる光がより多彩なものとなるように、実際の要求に応じて配置及び制御されるものであってもよい。
【００２１】
以上のように、本考案の点灯装置の主目的は、人を惹きつける効果を与えることである。このような点灯装置では、点灯装置の半導体発光ユニットから放出される光は、半導体発光ユニットの周りを覆うワックスを通して伝わり、ソフトな色合いを生み出すものとなっている。さらに、ワックスは可塑性を有するため、点灯装置は、様々な外観を有するように作ることができる。これにより、人を惹きつける美的な外観を有するような点灯装置が得られる。本考案の他の目的は、防水効果を有する点灯装置を提供することである。ワックスを用いて点灯装置の半導体光源を覆うことにより、点灯装置を屋外環境での損傷から保護することができる。
【００２２】
以上の開示は、詳細な技術的内容と、その考案としての特徴に関するものである。当業者であれば、上述した本考案の開示とその示唆するところに基づき、様々な変更と置換を着想することができる。しかし、このような変更と置換は、以上の記述では完全には開示されていないものの、これらは以下に添付の実用新案登録請求の範囲にすでに実質的に含まれている。
【符号の説明】
【００２３】
１    点灯装置
１０  受入空間
１１  ハウジング
１３  制御回路
１５  半導体発光ユニット
１７  電力貯蔵ユニット
１９  基板
１１１  主点灯面
【図１】
0003176441.tif 000003
【図２】
0003176441.tif 000004
【図３】
0003176441.tif 000005
【図４】
0003176441.tif 000006
【図５】
0003176441.tif 000007
【図６】
0003176441.tif 000008